(57)【要約】 【課題】  本発明は、従来の水槽式飼育器の生物的浄化装置では出来なかった、簡素な浄化媒体および浄化装置を提供することを目的とする。【解決手段】  内部が中空であり、内部と外部との隔壁に多数の細孔を有することを特徴とする中空の個体１、あるいは中空の浄化媒体によれば、中空の固体あるいは浄化媒体の表面、細孔内に好気性菌が育成繁殖し、内部に嫌気性細菌が生育繁殖する。  そして、魚介類等の排泄物や餌の残り等から発生した有害なアンモニアや窒素分は、好気性菌により硝酸塩に転換することができるとともに、中空の内部の嫌気性菌によって該液体中の硝酸塩から窒素を分解することができる。【選択図】      図１
2005131455.tif 000002
【特許請求の範囲】
【請求項１】
内部が中空であり、内部と外部との隔壁に多数の細孔を有することを特徴とする中空の個体。
【請求項２】
請求項１において、上記隔壁の少なくとも一部がセラミックで成形されていることを特徴とする中空の個体。
【請求項３】
請求項１または２に記載の上記中空の個体が、浄化細菌の寄宿可能なものであることを特徴とする中空の浄化媒体。
【請求項４】
内部が中空であり、内部と外部との隔壁に多数の細孔を有し、該細孔を通して液体が浸透して中空の内部が該液体で充満され、該隔壁の表面付近には好気性菌が寄宿し、中空の内部には嫌気性菌が寄宿可能であることを特徴とする中空の浄化媒体。
【請求項５】
魚介類を飼育する水槽式飼育器の浄化装置において、請求項１乃至４に記載の上記中空の浄化媒体又は中空の個体を多数充填したことを特徴とする浄化装置。
【請求項６】
閉鎖性水域の液体の浄化内において、内部に多段の浄化槽を形成し、該各浄化槽に請求項１乃至４に記載の上記中空の個体又は上記中空の浄化媒体を多数充填したことを特徴とする大型多段型の浄化装置。
【請求項７】
内部が中空であり、内部と外部との隔壁に多数の細孔を有する中空の浄化媒体を、表面に多数設けたことを特徴とする砕波性を有する形状のブロック。
【請求項８】
砕波性を有する形状のブロックにおいて、壁に多数の細孔を有する浄化媒体片を該ブロックの表面に多数配設し、且つ、上記ブロックと上記浄化媒体片とで中空を形成していることを特徴とする砕波性を有する形状のブロック。
【請求項９】
請求項７又は８に記載の上記ブロックを、海岸線に配設したことを特徴とする海水の浄化装置。
【発明の詳細な説明】
【技術分野】
【０００１】
本発明は、魚介類を飼育する水槽、生簀、あるいは海域、湖の海水、淡水等の液体を、浄化細菌等のバクテリアによって浄化する、中空の浄化媒体、およびそれを備えた浄化装置に関する。
【背景技術】
【０００２】
従来、この種の浄化装置としては、例えば、特開２０００−２７９９９１号公報には、図１５に示すように、好気性濾過槽と密閉式嫌気性フィルター装置とを備えたものが開示されている。
図１５において、ボックス型の嫌気用底面フィルター体５８は、水槽６３の外部に設けたオーバーフロー式の好気性濾過槽５０内に設定されている。
【０００３】
すなわち、すのこ状となるように上板部に複数の通水孔を開穿形成し、夫々一端開口側を密閉式嫌気性フィルター装置６０に接続させ、長手方向に沿って複数に開穿形成した噴出孔を対向させるようにして吸い込み用と吐き出し用の一対のシャワーパイプ５９を内部両端に配置させて成るボックス型の嫌気用底面フィルター体５８を水性生物飼育用の水槽６３の外部に設けた垂直間仕切り５２を有するオーバーフロー式の好気性濾過槽５０に隣接する水室内底部に設ける。
【０００４】
このオーバーフロー式の好気性濾過槽５０は、垂直間仕切り５２を介して２つの好気性濾過室５３Ａ，５３Ｂに分割され、夫々の好気性濾過室内には好気性濾過材５４が充填され、さらに夫々の好気性濾過室５３Ａ，５３Ｂの底面には通水孔（図示せず）が設けてある。
そして、好気性濾過槽５０に隣接する水室には、後付け可能な上側開口の桶状のオーバーフロー用嫌気ボックス５５を設置してあり、さらに、オーバーフロー用嫌気ボックス５５の隣には、水槽６３内の吐き出し口５６に連通したポンプ部５１が取り付けられている。
【０００５】
また、５７は好気性濾過室５３Ａに連通させた吸い込み口である。そして、嫌気用底面フィルター体５８のすのこ状上板部上面にパウダー状の砂６１または透水性で且つ酸素不透過性のスクリーン部材を敷設し、該嫌気用底面フィルター体５８内部の水を前記密閉式嫌気性フィルター装置６０を介して環流させて還元処理してから前記通水孔を介してすのこ状上板部上面のパウダー状の砂６１または透水性で且つ酸素不透過性のスクリーン部材に接触させるようにしてある。
また、パウダー状の砂６１の上にパンチボードまたはネットを介して砂利６２を敷設し、ポンプ部５１によりオーバーフロー式好気性濾過槽５０内の濾過水を砂利６２の上から接触させるようにしてある。
【０００６】
しかしながら、このような従来の生物的浄化装置においては、好気性濾過槽と密閉式嫌気性フィルター装置との実質的に２組の装置が設けられており、装置が複雑となっている。
【０００７】
また、汚染浄化用中空セラミックボールとしては、特開平７−６０２７７号公報に示すように、内部に密閉中空空間部を有するものが開示されている。
しかしながら、このように内部が密閉された汚染浄化用中空セラミックボールにおいては、内部が密閉されているため、嫌気性菌を寄宿することができない。
【０００８】
【特許文献１】特開２０００−２７９９９１号公報
【特許文献２】特開平７−６０２７７号公報
【発明の開示】
【発明が解決しようとする課題】
【０００９】
本発明は、従来の水槽式飼育器の生物的浄化装置では出来なかった、簡素な浄化媒体および浄化装置を提供することを目的とする。
【課題を解決するための手段】
【００１０】
上述した目的を達成するため、請求項１の発明にあっては、中空の固体が、内部が中空であり、内部と外部との隔壁に多数の細孔を有することを特徴としている。
また、請求項２の発明によれば、中空の固体の隔壁の少なくとも一部がセラミックで成形されていることを特徴としている。
さらに、請求項３の発明にあっては、上記中空の個体が、浄化細菌の寄宿可能な浄化媒体であることを特徴としている。
そして、請求項４の発明においては、中空の浄化媒体において、内部が中空であり、内部と外部との隔壁に多数の細孔を有し、該細孔を通して液体が浸透して中空の内部が該液体で充満され、該隔壁の表面付近には好気性菌が寄宿し、中空の内部には嫌気性菌が寄宿可能であることを特徴としている。
【００１１】
上述の固体、あるいは浄化媒体を、水槽式飼育器の生物的浄化装置等に採用することにより、上記中空の固体の表面、細孔内に好気性菌が育成繁殖し、内部に嫌気性細菌が生育繁殖する。
そして、魚介類等の排泄物や餌の残り等から発生した有害なアンモニアや窒素分は、好気性菌により硝酸塩に転換させられる。
更に、該固体あるいは浄化媒体の内部には海水等の液体が浸透し、内部は全て該液体で充填された状態であり、内部の酸素は、該浄化媒体表面近傍における好気性濾過細菌の生育活動により消費され無酸素状態となり、濾過細菌の中でも嫌気性菌が活動できる状態となっている。この嫌気性菌によって該液体中の硝酸塩から窒素を分解する、いわゆる脱窒機能を特徴とする。
【００１２】
請求項５の発明は、魚介類を飼育する水槽式飼育器の浄化装置において、請求項１乃至４に記載の上記中空の浄化媒体又は中空の個体を多数充填したことを特徴としている。
このように構成された浄化装置では、アンモニアや窒素分を硝酸塩に転換させるとともに、硝酸塩から窒素を分解する脱窒機能をも有し、水槽内の水替えを比較的長期間必要としない。
請求項６の発明の大型多段型の浄化装置は、閉鎖性水域の液体の浄化内において、内部に多段の浄化槽を形成し、該各浄化槽に請求項１乃至４に記載の上記中空の個体又は上記中空の浄化媒体を多数充填したことを特徴としている。
上述の大型多段型の浄化装置では、閉鎖され水質が悪化する傾向にある水域の水を連続的に浄化し排出することによって水質の悪化が抑制される。
【００１３】
請求項７の発明の砕波性を有する形状のブロックは、内部が中空であり、内部と外部との隔壁に多数の細孔を有する中空の浄化媒体を、表面に多数設けたことを特徴としている。
また、請求項８の発明の砕波性を有する形状のブロックは、壁に多数の細孔を有する浄化媒体片を該ブロックの表面に多数配設し、且つ、上記ブロックと上記浄化媒体片とで中空を形成していることを特徴としている。
さらに、請求項９の発明の海水の浄化装置は、請求項７又は８に記載の上記ブロックを、海岸線に配設したことを特徴としている。
上述の砕波性を有する形状のブロック、あるいは、海水の浄化装置では、一般に海岸線を護岸する際に減少する干潟が有する水域浄化機能を補う。
【発明の効果】
【００１４】
各請求項に記載の発明は、固体あるいは浄化媒体が中空かつ多数の細孔を有しているため、海水等の液体の浸透が容易で、内部を全て該液体で充填することが出来る。
固体あるいは浄化媒体の表面には細孔が無数空いており、自然発生的に濾過細菌等のバクテリアが寄宿生育する。
一般的に濾過砂等の表面に生育する濾過細菌等と同様に酸素存在下においては、好気性菌のみが成育し浄化作用を呈するが、本発明においては更に中空内部の無酸素状態により中空内部近傍において酸素が存在しない中で作用する嫌気性菌が生育繁殖し、このような浄化媒体により海水中に含まれる有害なアンモニアや有機物を硝酸塩経て窒素と二酸化炭素に分解させる。
このような浄化機能により該液体が浄化される。
【００１５】
水槽式濾過装置で使用された場合、従来の浄化機能では比較的短期間で必要とされた水替えが比較的長期間でも良好な水質が維持できる効果を有する。
【００１６】
また、海岸線の護岸により減少する干潟が有する浄化機能を補うことが出来るし、このときの浄化に必要なエネルギはゼロである。
【発明を実施するための最良の形態】
【００１７】
以下、添付の図面を参照しながら、本発明の実施の形態について説明する。
図１は、本発明の中空の浄化媒体の第１の実施の形態を、一部破談して示す図である。また、図２は、図１の断面図、図３は図２のＡ部拡大図である。
該浄化媒体（あるいは固体）１は、球状の中空となっており、その外部と内部を連通する細孔を多数有するセラミックで成形されている。
【００１８】
この中空の浄化媒体１を海水、水等の液体に浸けると、液体は細孔を通って内部に浸透し、内部は該液体で充満する。すると、このセラミック製の浄化媒体１の表面および細孔には、従来の濾過砂等の表面に生育する浄化細菌等と同様に、酸素存在下における好気性細菌が生育する。
なお、中空の浄化媒体１を液体に浸けた初期においては、中空内にも好気性細菌が育成すると考えられる。
この好気性細菌は、魚の排泄物や餌の残り等から発生した有害なアンモニアや窒素分を栄養源としてそれらを硝酸塩に転換する。
【００１９】
この時、細孔を通じて浄化媒体１の内部に侵入する海水に含まれる酸素は、表面等に育成している好気性細菌の浄化作用に伴い消費されるため、内部は酸欠あるいは無酸素状態となる。すると、浄化媒体１の内部には、自然発生的に嫌気性細菌等のバクテリアが寄宿生育する。
そして、この育成繁殖した嫌気性細菌により、海水中に含まれる硝酸塩が窒素と二酸化炭素に分解され、いわゆる脱窒が行われる。
発生した窒素はガス体となって存在するが、中空部分には外部より液体が浸透し、中空部分を該液体で連続的に満たす為、浄化媒体外部へと窒素が排出され、ガスが中空部分に満たされることは無い。
【００２０】
本発明においては、球状構造の強度の点から直径が３０〜５０ｍｍで、肉厚が５〜１０ｍｍ程度が妥当と考えられるが、本サイズから本実施の形態が制限されるものではない。
【００２１】
図４は、本発明の中空の浄化媒体の第１の実施の形態における部品および組立て状態を示す図である。
球状中空式の浄化媒体１は、半球状の二つ割れ成形品２を接着剤等により接合して形成される。
半球状の二つ割れ成形品２は、セラミック製であり、金型で容易に成形できる。
【００２２】
なお、中空式の浄化媒体は、半球状の二つ割れ成形品２の１個に、解放面を溶けたガラス等に浸けて固まらすことによっても成形できる。この場合、ガラス面は細孔を有しないが、セラミック製の半球状の成形品２の部分に多数の細孔が存在し、かつ中空を有しているので、十分に機能をはたす。
【００２３】
図５は、本発明の直方体状の中空の浄化媒体の第２の実施の形態における部品および組立て状態を示す図である。
直方体状の中空の浄化媒体４は、２個の箱状の成形品３を、接着剤等により接合して形成される。球状の中空の二つ割れ成形品２と同様に、箱状の成形品３は、セラミック製であり、金型により容易に成形できる。
なお、２個の成形品３の内、１個を小さくし、小さい成形品３を大きい成形品３の中に嵌め込むようにして、浄化媒体４を成形しても良い。このようにすれば、接着剤は不要となり浄化媒体４の製造が簡単になる。
【００２４】
図６は、本発明の円筒状の中空の浄化媒体の第３の実施の形態における部品および組立て状態を示す図である。
中空式円筒状の浄化媒体７は、円筒状の成形品６の両端に、塞ぎ板５を接着剤等により接合して形成される。球状の中空の二つ割れ成形品２と同様に、円筒状の成形品６および塞ぎ板５は、セラミック製であり、金型により容易に成形できる。
【００２５】
なお、塞ぎ板５は、必ずしもセラミック製である必要はなく、プラスチック製、ガラス製等の細孔の無いものでも良い。円筒状の成形品６が多数の細孔を有するセラミック製であるため、浄化媒体７の円筒部分の表面等に好気性細菌が育成し、内部に嫌気性細菌が育成する。
また、中空式円筒状の浄化媒体７が円盤に近い平たい形状の場合には、この逆に、円筒状の成形品６をプラスチック等の細孔の無いものとし、塞ぎ板５を多数の細孔を有するセラミック製とすることも可能である。
【００２６】
なお、塞ぎ板５を小さくし、円筒状の成形品６の中に嵌め込むようにしても良い。このようにすれば、接着剤は不要となり浄化媒体７の製造が簡単になる。更に、円筒状の成形品を、片方のみが解放されたコップ状のものとし、片方のみに塞ぎ板５を接合するようにしても良い。
【００２７】
以上、３種の実施の形態を示したが、これに限定されるものではなく、浄化媒体は、基本的に中空構造でかつその壁に多数の細孔を有するものであればどのような形状でもよい。そして、浄化媒体の一部分は細孔を有しない素材で成形されていてもよい。
また、直方体状、円筒状の浄化媒体４、７の大きさは、最大幅が強度の点から３０〜５０ｍｍで、肉厚が５〜１０ｍｍ程度が妥当と考えられるが、本サイズから本実施の形態が制限されるものではない。
【００２８】
次に、本発明の球状、直方体状、あるいは円筒状の中空の浄化媒体１，４，７が充填された浄化装置の第１の実施の形態を、図７の斜視図および図８の断面図に示す。
図７、図８に示すように、水槽式飼育器は、水槽１１と、水槽１１の上部に設置された浄化装置１２により構成されている。
水槽１１には、淡水あるいは海水が入れられ、魚介類が飼育されている。浄化装置１２は、側板１４、底板１３により構成されている。さらに、水槽１１は、２個の中仕切り板１５、１６により上流側区画１９、中央区画１８、下流側区画１７の３つの区画に仕切られている。
なお、上流側の中仕切り板１６の下端は、底板１３に接続にされているが、下流側の中仕切り板１５の下端は、底板１３から離れている。
【００２９】
上流側の区画には、水槽１１内の水を循環させるための循環ポンプ２０が設置されている。この循環ポンプ２０から水槽１１に向かって吸入管２１が延びており、吸入管２１の下端には取水口が取付けられている。
そして、循環ポンプ２０の吐出側には、散水管２２が接続されており、散水管２２は、浄化装置１２の中央区画１８まで延びている。さらに、散水管２２の下方には、散水のための多数の孔が開いている。
【００３０】
浄化装置１２の中央区画１８内の下方には、細孔２６を有するスノコ板２５が敷設されている。
そして該スノコ板２５上には、球状、直方体状、あるいは円筒状の多数の細孔を有する中空式の浄化媒体１、４，７が充填されている。
この浄化媒体１、４，７上には、ウール製、布製等のフィルター２４が敷設されている。
浄化装置１２の下流側区画１７には、オーバーフロー管２７が設けられており、オーバーフロー管２７は底板１３を貫通し、その下端は水槽１１内に達している。なお、浄化装置１２の中央区画１８および下流側区画１７には、液体が充満しているため、浄化媒体１、４，７は液中に没している。
【００３１】
上述の浄化装置１２により、水槽１１内の液体は、循環ポンプ２０により取水管２１から汲み上げられ、散水管２２により中央区画１８に敷設されたフィルター２４上に散水される。この時、液中の固形物はフィルター２４上に残る。
フィルター２４により濾された液体は、浄化媒体１、４，７に達すると、液中の酸素により、好気性細菌により浄化され、アンモニアや窒素分は硝酸塩に転換される。
一方、多数の細孔を有する中空状の浄化媒体１、４，７の内部には、酸素が存在しない中で作用する嫌気性細菌は育成しており、この嫌気性細菌により、硝酸塩は窒素と水に分解される。
このようにして浄化された液体は、中仕切り板１５の下部を通過して下流区画１７に入り、オーバーフロー管２７の上端から水槽１１内に戻る。
【００３２】
このように、多数の細孔を有する中空式の浄化媒体１、４，７が充填された浄化装置１２によれば、中空式の浄化媒体１、４，７の表面において好気性細菌が浄化作用を呈す。
そして、この好気性細菌の浄化作用により発生した硝酸塩は、浄化媒体１，４，７の多数の細孔をとおり中空内部に侵入する。侵入した硝酸塩は嫌気性細菌により、窒素と二酸化炭素に分解される。
なお、上流側区画１９は必ずしも必要ではなく、循環ポンプ２０を中央区画１８上に設け、取水管２１は、中央区画１８および底板１３を貫通して水槽１１に達するようにしてもよい。また、浄化装置１２は、水槽１１の上部に設けず、別置きにしてもよい。
【００３３】
次に、本発明の球状、直方体状、あるいは円筒状の中空の浄化媒体１，４，７が充填された浄化装置の第２の実施の形態を、図９の斜視図および図１０の断面図に示す。
この浄化装置の第２の実施の形態の第１の実施の形態と異なる点は、下流側区画１７にも本発明の浄化媒体１，４，７が充填されていることである。すなわち、上流側区画１９および中央区画１８には、浄化装置の第１の実施の形態と同様のものが設置されている。
そして、下流側区画１７の下部には、細孔２６を有するスノコ板２５が敷設され、その上方には、図示しないホース、空気ポンプに接続された散気板２８が敷設されている。その上に本発明の浄化媒体１、４、７が充填されている。なお、スノコ板２５と散気板２８とは、一体型としてもよい。
【００３４】
図９、図１０において、浄化装置の第２の実施の形態と同様に、循環ポンプ２０によって汲み上げられた液体は、中央区画１８のウールフィルター２４及び本発明の中空式の浄化媒体１、４、７上に散水される。更に液体は、中仕切り板１５の下端をとおり、下流側区画１７に流れ、本発明の中空式の浄化媒体１、４，７により浄化される。
【００３５】
また、中央区画１８で消費された酸素は、ここで散気板２８から供給された空気により曝気、補給される。曝気された液体は、オーバーフロー管２７から水槽１１内にオーバフローする。
この目的は、より高濃度の有機物を含む水のＢＯＤを効果的に下げて、より浄化を促進する為に行うものである。
【００３６】
図１１、図１２、図１３は、本発明の浄化媒体１、４、７が充填されている大型多段式の浄化装置３０として構成した、浄化装置の第３の実施の形態を示すものである。
大型多段式の浄化装置３０は、浄化装置基礎３１上に設置されている。そして浄化装置の内部は、下端が底に接続された円筒状の中仕切り板３５ａ、３５ｂ、３５ｃと、底に耐水の通路を有する円筒状の中仕切り板３６ａ、３６ｂにより、第１の浄化槽３４ａと第２の浄化槽３４ｂと第３の浄化槽３４ｃとに区画されている。
【００３７】
取水口フィルター３２は、取水する際のゴミが浄化槽内に流入することを防止する。
図示しないホースおよび空気ポンプに接続された散気板３３は、水中の有機物分解を効果的に行う為設置されている。
第１の浄化槽３４ａと第２の浄化槽３４ｂと第３の浄化槽３４ｃは、各々散気板３３と中空式の浄化媒体１，４，７で構成されている。
【００３８】
取水口フィルター３２を通過して流れ込んだ海水は、第１の浄化槽３４ａ、第２の浄化槽３４ｂ、第３の浄化槽３４ｃを通過する内に浄化されて、排水ポンプ３７で系外に排出される。排水ポンプ３７はモータ３８によって駆動されている。
このように構成された装置によって、浄化が必要な水を連続的に浄化し系外に排出可能となる。
また、本実施の形態においては、３段の曝気槽を示したが、必要に応じ段数は変えられるため、浄化段数により本発明が制限を受けるものではない。さらに、大型多段浄化装置３０の形状のも、多角形のものであってもよい。
【００３９】
図１２は、本発明の浄化媒体１、４、７が充填されている大型多段式の浄化装置３０の実施例の鳥瞰図を示すものである。
水域が堤防４０、排水門４１で閉鎖された水域は一般的に水質が悪化する傾向に有る。このような水域の浄化においては、閉鎖水域内に流入する水を連続的に浄化し排水することが望ましい。このような水域の浄化に対し、本装置は連続浄化機能を提供する。
【００４０】
図１３は、本発明の浄化媒体１、４、７が充填されている大型多段浄化装置３０の実施例の鳥瞰図を示すものである。
大型多段浄化装置の排水ポンプのエネルギ源として風力発電装置４２等の自然エネルギも使用できる。
【００４１】
以上、本発明による浄化は海水をはじめ、陸地内の湖沼、川等や汚水処理設備などの浄化にも適用することが可能である。
【００４２】
次に、本発明の浄化媒体１，４，７を採用した浄化装置の第４の実施の形態を、図１４の斜視図に示す。図１４は、砕波性を有する形状のブロック４３に、中空式の浄化媒体１，４，７を一部埋め込んだ構造としている。
護岸部分は潮の干満で空気に触れたり水面下となったり変化するが、中空式の浄化媒体１，４，７中に一端水が充満すると容易に流れ出ることが無い為、中空部分では比較的無酸素状態を保持しやすい。
このような構造によれは、砕波効果と同時に水域の浄化を可能とする浄化装置として利用することが可能となる。
よって、一般に海岸線を護岸する際に減少する干潟が有する水域浄化機能を補うことが出来る。
なお、砕波性を有する形状のブロック４３は通常コンクリート製であるが、これに限定されるものではない。
【図面の簡単な説明】
【００４３】
【図１】本発明の中空の浄化媒体の第１の実施の形態の構造を、一部破談して示す図である。
【図２】図１の断面図である。
【図３】図２のＡ部拡大図である。
【図４】本発明の中空の浄化媒体の第１の実施の形態における部品および組立て状態を示す図である。
【図５】本発明の直方体状の中空の浄化媒体の第２の実施の形態における部品および組立て状態を示す図である。
【図６】本発明の円筒状の中空の浄化媒体の第３の実施の形態における部品および組立て状態を示す図である。
【図７】本発明の浄化装置の第１の実施の形態を示す図である。
【図８】図７の断面図である。
【図９】本発明の浄化装置の第２の実施の形態を示す図である。
【図１０】図９の断面図である。
【図１１】本発明の浄化装置の第３の実施の形態を示す図である。
【図１２】本発明の浄化装置を堤防に適用した形態を示す平面図である。
【図１３】本発明の浄化装置を堤防に適用した形態を示す鳥瞰図である。
【図１４】本発明の浄化装置の第４の実施の形態を示す図である。
【図１５】従来の浄化装置を示す斜視図である。
【符号の説明】
【００４４】
１  球状の中空の浄化媒体
２  球状の中空の浄化媒体の半球状の二つ割れ成形品
３  直方体状の浄化媒体の二つ割れ成形品
４  直方体状の中空の浄化媒体
５  塞ぎ板
６  円筒状の中空の浄化媒体の円筒状成形品
７  円筒状の中空の浄化媒体
１１  水槽
１２  浄化装置
１３  底板
１４  側板
１５  中仕切り板
１６  中仕切り板
１７  下流側区画
１８  中央区画
１９  上流側区画
２０  循環ポンプ
２１  取水管
２２  散水管
２４  ウールフィルター
２５  スノコ板
２６  細孔
２７  オーバフロー管
２８  散気板
３０  大型多段浄化装置
３１  浄化装置基礎
３２  取水口フィルター
３３  散気板
３４ａ  第１の浄化槽
３４ｂ  第２の浄化槽
３４ｃ  第３の浄化槽
３５ａ、３５ｂ、３５ｃ  円筒状の中仕切り板
３６ａ、３６ｂ  円筒状の中仕切り板
３７  排水ポンプ
３８  モータ
３９  排水管
４０  堤防
４１  排水門
４２  風力発電装置
４３  砕波性を有する形状のブロック
５０  好気性濾過槽
５１  ポンプ部
５２  垂直間仕切り
５３Ａ、５３Ｂ  好気性濾過室
５４  好気性濾過材
５５  嫌気ボックス
５６  吐き出し口
５７  吸い込み口
５８  嫌気用底面フィルター体
５９  シャワーパイプ
６０  密閉式嫌気性フィルター装置
６１  砂
６２  砂利
６３  水槽
【図１】
2005131455.tif 000003
【図２】
2005131455.tif 000004
【図３】
2005131455.tif 000005
【図４】
2005131455.tif 000006
【図５】
2005131455.tif 000007
【図６】
2005131455.tif 000008
【図７】
2005131455.tif 000009
【図８】
2005131455.tif 000010
【図９】
2005131455.tif 000011
【図１０】
2005131455.tif 000012
【図１１】
2005131455.tif 000013
【図１２】
2005131455.tif 000014
【図１３】
2005131455.tif 000015
【図１４】
2005131455.tif 000016
【図１５】
2005131455.tif 000017